(57)【特許請求の範囲】
【請求項１】
取付面からの距離がそれぞれ異なる上段の差込口及び中段の差込口の一方と下段の差込口とに受け刃が配置されたプラグイン式の電気機器と電線導体と間に介在し該電線導体と該電気機器とを電気的に接続する接続変換装置であって、取付面からの距離がそれぞれ異なる上下二段の階段面を有する階段部が形成された端子台と、この端子台の上段の階段面に配置されるねじ付の端子部及びこの端子部に電気的に接続され前記電気機器の上段の差込口及び中段の差込口に差込まれる高さ位置として連続一体に形成し端子台から突出する形で配置される一対の差込刃を有した一方の接続端子と、端子台の下段の階段面に配置されるねじ付の端子部及びこの端子部に電気的に接続され前記電気機器の下段の差込口に差込まれる高さ位置として端子台から突出する形で配置される差込刃を有した他方の接続端子とを備えてなることを特徴とする接続変換装置。
【請求項２】
前記端子台には各階段面に平行であって、前記各接続端子の端子部と差込刃との間の中間部が収納される収納溝が形成され、収納溝の開口の一部を覆い接続端子の抜け止めをする抜け止め用リブが形成されてなることを特徴とする請求項１記載の接続変換装置。
【請求項３】
前記各端子部はそれぞれ各階段面に当接する形で配置され、各階段面にはそれぞれ各端子部のねじの先端部が挿通される挿通孔が形成されてなることを特徴とする請求項１又は請求項２記載の接続変換装置。
【請求項４】
前記各階段面に、配置される前記端子部の少なくとも一端面が当接する立壁が設けられてなることを特徴とする請求項３記載の接続変換装置。
【請求項５】
前記収納溝の奥行方向の長さは接続端子の差込刃の幅寸法よりも大きく設定されてなることを特徴とする請求項２ないし請求項４のいずれかに記載の接続変換装置。
【請求項６】
前記端子台は、取付面に当接し取付ねじが挿通される挿通孔が形成された取付片を備えることを特徴とする請求項１ないし請求項５のいずれかに記載の接続変換装置。
【発明の詳細な説明】
【０００１】
【発明の属する技術分野】
本発明は、電線導体とプラグイン式の電気機器との間に介在し該電線導体と該電気機器とを電気的に接続する接続変換装置に関するものである。
【０００２】
【従来の技術】
一般に、集合住宅やマンション等の各需要家に使用される住宅用分電盤にあっては、各需要家内に設けられた火災報知器や消火設備等の非常用機器への電源を確保するできるように、主幹開閉器の一次側（電源側）から非常用電源を得る非常電源系を設けてあり、非常電源系には一次送り開閉器が挿入されている。ここに、一次送り開閉器は入力側が主幹開閉器の一次側に送り線を介して接続されている。
【０００３】
ところで、近年、本出願人は、分電盤の施工時間の短縮化を目的として、主幹開閉器の二次側に接続される分岐開閉器としてプラグイン式の回路遮断器を用いた分電盤（例えば、特開平１１−１８７５１７号公報）を提案している。
【０００４】
【発明が解決しようとする課題】
ところで、回路遮断器を共通化するために、一次送り開閉器としてもプラグイン式の回路遮断器を用いることが考えられるが、送り線は単なる被服電線であり、一次送り開閉器としては送り線の末端を接続するねじ式の回路遮断器を使用しなければならず、一次送り開閉器をプラグイン式の回路遮断器とすることができなかった。
【０００５】
本発明は上記事由に鑑みて為されたものであり、その目的は、電線導体とプラグイン式の電気機器との間に介在し電線導体と電気機器とを電気的に接続することが可能な接続変換装置を提供することにある。
【０００６】
【課題を解決するための手段】
請求項１の発明は、上記目的を達成するために、取付面からの距離がそれぞれ異なる上段の差込口及び中段の差込口の一方と下段の差込口とに受け刃が配置されたプラグイン式の電気機器と電線導体と間に介在し該電線導体と該電気機器とを電気的に接続する接続変換装置であって、取付面からの距離がそれぞれ異なる上下二段の階段面を有する階段部が形成された端子台と、この端子台の上段の階段面に配置されるねじ付の端子部及びこの端子部に電気的に接続され前記電気機器の上段の差込口及び中段の差込口に差込まれる高さ位置として連続一体に形成し端子台から突出する形で配置される一対の差込刃を有した一方の接続端子と、端子台の下段の階段面に配置されるねじ付の端子部及びこの端子部に電気的に接続され前記電気機器の下段の差込口に差込まれる高さ位置として端子台から突出する形で配置される差込刃を有した他方の接続端子とを備えてなることを特徴とするものであり、電線導体を端子部に接続でき且つ差込刃にプラグイン式の電気機器を接続することができるので、分電盤内に配設する場合に、主幹開閉器の一次側からの電線導体を端子部に接続することで前記電気機器としてプラグイン式の回路遮断器を利用可能となり、一次送り開閉器としてプラグイン式の回路遮断器を用いることができ、分岐開閉器と一次送り開閉器とで同一の回路遮断器を用いることができて部品の共通化が図れる。また、各端子部は互いに異なる階段面に配置されているので、ねじを締め付けたり緩めたりする作業が容易になる。
【０００８】
請求項２の発明は、請求項１の発明において、前記端子台には各階段面に平行であって、前記各接続端子の端子部と差込刃との間の中間部が収納される収納溝が形成され、収納溝の開口の一部を覆い接続端子の抜け止めをする抜け止め用リブが形成されているので、抜け止め用リブを設けたことによって端子台から接続端子が抜けるのを防止することができ、端子台に予め接続端子を配設した状態でブロック化することができ、取り扱いが容易になる。
【０００９】
請求項３の発明は、請求項１又は請求項２の発明において、前記各端子部はそれぞれ各階段面に当接する形で配置され、各階段面にはそれぞれ各端子部のねじの先端部が挿通される挿通孔が形成されているので、各端子部のねじを締め付けるときに端子台にかかる力を吸収することができ、端子台が破損し難くなる。
【００１０】
請求項４の発明は、請求項３の発明において、前記各階段面に、配置される前記端子部の少なくとも一端面が当接する立壁が設けられているので、前記端子部のねじを締め付けるときに端子部がぐらつくのを防ぐことが可能となり、端子部のねじを締め付けるときに接続端子がぐらつかず、請求項３の発明よりも端子台が破損し難くなる。
【００１１】
請求項５の発明は、請求項２ないし請求項４の発明において、前記収納溝の奥行方向の長さは接続端子の差込刃の幅寸法よりも大きく設定されているので、前記収納溝の開口面側に誤ってドライバ等の導電金属を接触させてしまった場合に短絡を防止することができ、接続端子間の絶縁性が向上する。
【００１２】
請求項６の発明は、請求項１ないし請求項５の発明において、前記端子台は、取付面に当接し取付ねじが挿通される挿通孔が形成された取付片を備えるので、端子台を取付ねじを用いて取付面に固定することができ、差込刃をプラグイン式の電気機器に接続するときに、電気機器だけを手で持って動かすことで接続することができ、差込刃を電気機器に接続する作業が容易になる。
【００１３】
【発明の実施の形態】
本発明に係る接続変換装置を備えた住宅用分電盤を図３ないし図１１を参照しながら説明する。なお、図１および図２に示す接続変換装置については後述する。
【００１４】
住宅用分電盤は、図１ないし図３に示すように、矩形枠状に形成され底板１０ａの外周縁の全周にわたって周壁１０ｂが前方に突設された形状に形成されたボディ１０と、ボディ１０の前面側に結合されるカバー１１とで筐体が構成される。
【００１５】
なお、カバー１１には、開閉自在な外蓋８４が設けられるとともに、外蓋８４を開いた状態で回路遮断器よりなる主幹開閉器３の一部を露出させる窓孔８５、回路遮断器よりなる分岐開閉器２の一部を露出させる窓孔８２、回路遮断器よりなる一次送り開閉器９０の一部を露出させる窓孔８６などが形成された中蓋８３が設けられており、外蓋８４を開いた状態で各開閉器２，３，９０それぞれの操作部Ｈを操作できるようになっている。
【００１６】
ボディ１０内には、複数の分岐開閉器２、主幹開閉器３、一次送り開閉器９０などを備えた内器ブロックＢが収納されている。なお、分岐開閉器２は主幹開閉器３の二次側（出力側）に入力側が電気的に接続されている。一次送り開閉器９０は、各需要家内に設けられた火災報知器や消火設備等の非常用機器への電源を確保するできるように設けた非常電源系に挿入されるものであり、入力側が主幹開閉器３の一次側（電源側）に送り線１０４，１０５などを介して電気的に接続されている。
【００１７】
ここに、分岐開閉器２は、図５に示すように、ボディ１０内において、上下２列に配設され、各列には１２台が並設される。これらの上下２列間には後述の３つの導電バー３１，３２，３３が回路遮断器２の並設方向に延長するように配置される。なお、上列の分岐開閉器２は上側に出力端子が位置し、下列の分岐開閉器２は下側に出力端子が位置する。
【００１８】
ところで、内器ブロックＢは、主幹開閉器３および複数の分岐開閉器２が配設されるとともにボディ１０の底板１０ａに取り付けられる取付部材を備えている。この取付部材は、図７ないし図１０に示すように、両側縁が図７において上方向に折り曲げられた鉄板からなりボディ１０内で図５における上下に間隔をあけて横方向に並行配設される２つの基台４，４と、これら基台４，４間に橋絡するように配設される鉄板製の取付ベース５と、基台４，４間の間隙に対応するように凹ませた取付ベース５の中央凹部５Ｂ内に配設される樹脂製の導電バー用取付ベース６と、この導電バー用取付ベース６の上と基台４上に被るように夫々配置された取付ベース５の側片５ａとに亙るように配設される分岐開閉器固定用の樹脂製の固定ベース７と、基台４，４の一端部に側端部が固定されて側方に配置される鉄板製の主幹開閉器用固定ベース８とから成る。
【００１９】
取付ベース５は図７に示すように中央凹部５ｂをボディ１０方向に凹ませ、この中央凹部５ｂの両側より側方に延長した各側片５ａを基台４の両側の折り曲げ片４ａの端面上に載せ、各側片５ａに設けた挿通孔１４を介して固定ねじ１５を基台４側のねじ孔１６に締結することで両側の基台４，４間に橋絡するように固定され、中央部５ｂは基台４，４間に嵌まることになる。
【００２０】
導電バー用取付ベース６は上記中央凹部５ｂ内に配置されるもので、中央凹部５ｂの両側に穿孔された係止孔５９に係合する係止爪６０を突出させてあって、係止爪６０を係止孔５９に係止させることで位置決めされる。また、各導電バー用取付ベース６の一端側には夫々中性極Ｎの導電バー３１を支持するための支持ポスト１３を一体突設してある。
【００２１】
導電バー３１は、図８および図９に示すように、両端部に形成した取付片３１ａに穿設した挿通孔３１ｂを介して固定ねじ３７を支持ポスト１３の上端部の凹部３４に収納固定されるナット（図示せず）に締結することで支持ポスト１３，１３間に橋絡配置される。
【００２２】
また支持ポスト１３，１３間を結ぶ中央部の両側の平面部がＬ１，Ｌ２の電圧極の導電バー３２，３３を配置する配置部位となり、これらの配置部位の側方の上面には固定ベース７を支持するピン１９を所定間隔で両端方向に一体立設してある。
【００２３】
また支持ポスト１３，１３間には導電バー３２，３３から一体に延長形成された一対の脚片２０，２１ごとに分離する分離壁２２と、脚片２０，２１の基部２８を沿わせるリブ２３とを突設してある。なお、この脚片２０とこの脚片２１とが夫々分岐開閉器２の一端側に設けた後述する電圧極用端子接続部に差し込み接続される分岐開閉器接続部を構成する。
【００２４】
導電バー３２，３３は固定ベース７が配設される前に、導電バー用取付ベース６上の夫々の配置部位に配置固定される。
【００２５】
導電バー３２，３３は同一形状に形成されており、対称配置されるようになっているもので、両端には固定ねじ２４を挿通する挿通孔２５が設けられ、固定ねじ２４を挿通孔２５を介して、導電バー用取付ベース６の凹部２６内に配置されるナット（図示せず）に締結することで固持されるようになっている。
【００２６】
固定ベース７は導電バー３２，３３を導電バー用取付ベース６に配設した後に導電バー用取付ベース６と取付ベース５の側片５ａ上に亙るよう配設される。この際固定ベース７の裏面より突出形成している係止爪２９を側片５ａに形成している係止孔３０に挿入係止して固定ベース７は固定される。
【００２７】
この固定ベース７の上面には分岐開閉器２の器体の両側面を挟み込むようにして位置決めをする位置決め突起３５と、図６に示すように上記電圧極用端子接続部を設けた一端部とは反対側の器体の他端部の両側面の下部に側方と下端とが開口した逆Ｌ状の凹所３６に該凹所３６の下面開口より挿入され、分岐開閉器２の移動により水平片により構成される引掛部３９を凹所３６の横凹部により形成される被引掛部５３に挿入して引掛部３９の下面に形成した凹み嵌合部３９ａに被引掛部５３の底部に形成した凸嵌合部５３ａを嵌合して引掛係止する逆Ｌ状の突起５４とを配列する分岐開閉器２数に対応して一体に突設してある。
【００２８】
主幹開閉器用固定ベース８は基台４，４の一端部に一側部より突出させた固定片４０を固定ねじ６１で基台４，４の端部に固定し、他側部より突出させた固定片４０’を固定ねじ６１’でボディ１０底部に固定することでボディ１０内に配設され、その上面には主幹開閉器３を螺子固定する。
【００２９】
主幹開閉器３の負荷側端子はＬ１、Ｌ２の電圧極及び中性極Ｎの導電バー４４、４５及び４６を介して各導電バー３２，３３及び３１に接続される。この接続は主幹開閉器３側の各導電バー３２，３３、３１の端部に各導電バー４４、４５，４６の端部を重ねて固定ねじ２４，２４，３７により固定されることで行われる。
【００３０】
また支持ポスト１３，１３間に橋絡配設された導電バー３１の上面には、両側に配置される分岐開閉器２の上面に臨む弾性突出片４７を有した係止部材４８（図６参照）を取着してある。
【００３１】
この係止部材４８は合成樹脂成形品からなり、両側の夫々４台の分岐開閉器２に対応するもので、導電バー３１には３組配置されるようになっており、各係止部材４８は導電バー３１に穿設してある丸孔５６に圧入される突起（図示せず）を下面に一体突設し、夫々揺動自在に一端が連結片により支持された弾性突出片４７（図６参照）を両側に４つずつ一体形成しある。そして、導電バー３１に取り付けられた時に、夫々の弾性突出片４７の先端部が正規位置に配置される分岐開閉器２の内側位置の上面に臨むように突出するようになっており、夫々の先端部両側には分岐開閉器２の内側位置の上面に並設した２つの突起状の被係止部５７に係止する係止部５８を側方に突出形成してある。
【００３２】
分岐開閉器２は以上のように構成される取付部材がボディ１０に取り付けられた状態において固定ベース７上に固定配設されるのである。
【００３３】
ここで本実施形態に用いられる分岐開閉器２は内部に２極の開閉機構部を内蔵するもので、図６に示すように器体の一端部側に上、中、下の三段（図６における右側が上段で左側が下段）に導電バーの分岐開閉器接続部が挿入される導電バー差し込み口４１，４２，４３を開口しており、上段の導電バー差し込み口４１の高さ位置は固定ベース７に配設したときに丁度最上段の導電バー３１の高さ位置に対応し、また中段の導電バー差し込み口４２は導電バー３２或いは３３の脚片２１の高さ位置に対応し、更に下段の導電バー差し込み口４３は、導電バー３２或いは３３の脚片２０の高さ位置に対応している。
【００３４】
そして本例では上段の導電バー差し込み口４１内には図６に示すように中性極Ｎの導電バー３３側縁からなる分岐開閉器接続部を差し込み接続する端子接続部たる受け刃５１を配置し、中段及び下段の何れかの導電バー差し込み口４２、４３の一方にＬ１或いはＬ２の電圧極の導電バー３２，３３の分岐開閉器接続部２１或いは２０を差し込む受け刃５２を配設し、他方を受け刃が配設されていない収納部としている。なお、電圧極に対応する受け刃５２は導電バー差し込み口４２或いは４３の何れかの位置へ移動させることできるようになっており、上下二列に配列される分岐開閉器２群において、負荷バランスをとるように接続するＬ１及びＬ２の電圧極を容易に選択できるようになっている。
【００３５】
而して分岐開閉器２を固定ベース７に配設固定するに当たっては、分岐開閉器２を配設したい位置の固定ベース７上の一対の突起３５，３５間に導電バー差し込み口側の一端部の器体下部を嵌めるとともに、他端部側の器体両側側面の凹所３６の下部開口より突起５４を凹所３６内に嵌めて固定ベース７上に載置し（この時、係止部材４８の対応する弾性突出片４７の先端部が分岐開閉器２の上面に臨む）、この状態で分岐開閉器２を導電バー配置位置方向に直線移動させると、導電バー差し込み口４１に中性極Ｎの導電バー３１の側縁たる分岐開閉器接続部が挿入されて受け刃５１の開口に臨み、また中段の導電バー差し込み口４２にはＬ１或いはＬ２の電圧極の導電バー３１或いは３２の脚片２１が挿入され、さらに下段の導電バー差し込み口４３にはＬ２或いはＬ１の電圧極の導電バー３２或いは３１の脚片２０が挿入されることになり、導電バー差し込み口４３内に配置されている受け刃５２に脚片２０が臨むことになる。
【００３６】
一方、分岐開閉器２の直線移動に伴って係止部材４８の対応する弾性突出片４７の係止部５８下面の傾斜面５８ａが回路遮断器２の上面に形成した被係止部５７の傾斜面５７ａに当接し、この状態からさらに分岐開閉器２を移動させると弾性突出片４７の弾性変形を伴いながら係止部５８の傾斜面が被係止部５７の傾斜面上をスライドしながら乗り上げて、やがて被係止部５７を乗り越えることになり、弾性突出片４７が弾性で元に戻る。従って分岐開閉器２の被係止部５７が係止部５８に係止されることになる。これにより分岐開閉器２が外側方向（受け刃から導電バーが引き抜かれる方向）へ移動するのを規制する。一方、凹所３６に下方から嵌まった突起５４に設けられた引掛部３９は分岐開閉器２の移動に伴って被引掛部５３内に挿入され、やがて引掛部３９の下面に設けた嵌合凹部３９ａが被引掛部５３の下面に設けた嵌合凸部５３ａに凹凸嵌合することになる。この凹凸嵌合時に所謂クリック感が作業者に与えられ、分岐開閉器２が定位置、つまり受け刃５１，５２に導電バー３１、３２或いは３３の分岐開閉器接続部が完全に差し込まれた位置に移動したことを作業者に分からしめ、結果受け刃５１，５２に対する分岐開閉器接続部の差し込み量のばらつきを抑えることができるのである。そして被引掛部５３と引掛部３９との凹凸嵌合により、分岐開閉器２の上方向、つまり固定ベース７の面に対して垂直方向への移動を規制する。また引掛部３９及び突起５４は凹所３６及び被引掛部５３内に納まるため、隣接配置する分岐開閉器２との間の隙間を少なくすることができる。
【００３７】
このようにして簡単に分岐開閉器２を分電盤の筐体内の固定ベース７上に取り付け且つ電気的に接続することができることになる。
【００３８】
また、主幹開閉器用固定ベース８には、図１０および図１１に示すように、一次送り開閉器９０が配設される取付具６４が固定ねじ６７を用いて取着される。取付具６４は、固定ベース８に向かう側に折曲された折曲片６４ａを有する鉄板よりなり、主幹開閉器３側に位置する折曲片６４ａからは上記固定ねじ６７が挿通される挿通孔６６が穿孔された固定片６４ｂが延設されている。一方、固定ベース８には、上記固定ねじ６７の先端部が挿通される挿通孔１３０が設けられている。また、取付具６４には、一次送り開閉器９０の両側面にそれぞれ当接して一次送り開閉器９０の図５における左右方向の位置決めを行う位置決め片６５が一体に突設してある。
【００３９】
さらに、取付具６４の一端からは一次送り開閉器９０の器体の一端面の下部に形成された引掛孔９４に引掛ける引掛爪６８が一体に突設してあり、さらに取付具６４の他端側には主幹開閉器３からの送り線１０４，１０５と一次送り開閉器９０とを電気的に接続する接続変換装置の端子台１１０を固定ねじ１１２を用いて固定するために上記固定ねじ１１２が挿通される挿通孔６９が形成されている。ここに、端子台１１０には、取付具６４の上面（取付面）に当接する取付片１１，１１１’が突設されており、これらの取付片１１１，１１１’にはそれぞれ上記固定ねじ１１２が挿通される挿通孔１１１ａ，１１１ａが形成してある。
【００４０】
接続変換装置は、主幹開閉器３からの送り線１０４，１０５（図５参照）がそれぞれ接続されるとともに一次送り開閉器９０に電気的に接続される一対の接続端子が設けられている。この一方の接続端子は、図１および図２に示すように、送り線１０５を接続する端子ねじ１０６が螺合するねじ孔１０８が形成されたねじ付きの端子部１０７と、一次送り開閉器９０の器体の他端部側に開口された差込口９１，９２にそれぞれ差し込まれる差込刃１０１，１０２とが連続一体に形成されている。他方の接続端子は、送り線１０４を接続する端子ねじ１０６が螺合するねじ孔（図示せず）が形成されたねじ接続部１０９と、一次送り開閉器９０の器体の他端部側に開口された差込口１０３に差し込まれる差込刃１０３とが連続一体に形成されている。要するに、図１１における上段の差込口９１の高さ位置は一次送り開閉器９０および端子台１１０を取付具６４に配設したときに丁度最上段の差込刃１０１の高さ位置に対応し、また中段の差込口９２は差込刃１０２の高さ位置に対応し、更に下段の差込口９３は、差込刃１０３の高さ位置に対応している。ここに、端子台１１０は、図１および図２に示すように、上記取付面からの距離がそれぞれ異なる階段面１１７，１１７’を有する階段部が形成されており、各階段面１１７，１１７’にそれぞれ端子部１０７，１０９が配置されている。また、各差込刃１０１，１０２，１０３は端子台１１０において上記取付面に直交する面から突出する形で配置されている。ここにおいて、端子台１１０には各階段面１１７，１１７’に平行で接続端子の中間部が収納される収納溝１２２，１２３，１２４が形成されている。また、端子台１１０には、収納溝１１２，１２４の開口の一部を覆い接続端子の抜け止めをする抜け止め用リブ１２１，１２１が一体に突設されている。なお、端子台１１０には、収納溝１２２，１２４からそれぞれ挿入された端子部１０７，１０９を各階段面１１７，１１７上に通すための貫通孔１２５，１２６が形成されている。
【００４１】
ところで、各端子部１０７，１０９はそれぞれ各階段面１１７，１１７’に当接する形で配置され、各階段面１１７，１１７’にはそれぞれ各端子部１０７，１０９の端子ねじ１０６，１０６の先端部が挿通される挿通孔１１３，１１３が形成されているので、各端子部１０７，１０９の端子ねじ１０６，１０６を締め付けるときに端子台１１０にかかる力を吸収することができ、端子台１１０が破損し難くなる。また、各階段面１１７，１１７’に、端子部１０７，１０９の少なくとも一端面が当接する立壁１１５，１１５が設けられているので、端子部１０７，１０９の端子ねじ１０６，１０６を締め付けるときに接続端子ぐらつくのを防ぐことが可能となり、端子ねじ１０６，１０６を締め付けるときに接続端子がぐらつかず、端子台１１０が破損し難くなる。
【００４２】
そして本例における一次送り開閉器９０では上段および中段のいずれかの差込口９１，９２内の一方に受け刃（図示せず）を配置し、他方を受け刃が配設されていない収納部としている。また、下段の差込口９３内には受け刃（図示せず）が配置されている。
【００４３】
したがって、一次送り開閉器９０を取付具６４に配設固定するに当たっては、一次送り開閉器９０の器体の取付具６４の一対の位置決め片６５で一次送り開閉器９０の器体の一端面の下部に形成された引掛孔９４に取付具６４の引掛爪６８を引掛けて器体の両側面をそれぞれ位置決め片６５に当接させた状態で、端子台１１０から突出した差込刃１０１，１０２，１０３それぞれを対応する差込口９１，９２，９３に差し込んだ後、端子台１１０を上記固定ねじ１１２により取付具６４に固定することで、一次送り開閉器９０および端子台１１０が取付具６４に対して固定されることになる。
【００４４】
ところで、ボディ１０の底板１０ａの中央部には四角形状（矩形状）に開口した電線挿通孔７０が形成されている。また、底板１０ａには左右２個ずつの取付部たる支持台７５，７５が前方に突設されている。上側に位置する各支持台７５の周囲にはそれぞれ断面Ｌ字状であって矩形領域の角部をなすように配列されたガイド壁７４が形成され、下側に位置する各支持台７５の周囲にはそれぞれ断面Ｌ字状であって矩形領域の角部をなすように配列されたガイド壁７３が形成されている。上側の支持台７５には下方に隣接して底板１０ａからの突出寸法が支持台７５よりもやや大きい抜け止めボス６２が形成されている。また、下側の支持台７５の周囲に設けたガイド壁７３の前端側には下半分程度の受け片７３ａが連続一体に形成されている。ここに、底板１０ａから受け片７３ａまでの距離は底板１０ａから支持台７５の先端面までの距離よりもやや大きく設定されている。
【００４５】
また、底板１０ａにおける電線挿通孔７０の周縁には全周にわたって前方に突出するリブ７１が形成されており、このリブ７１によって電線挿通孔７０の周部が補強されている。
【００４６】
ボディ１０に形成した左右の支持台７５には、上述の内器ブロックＢが取り付けられる。ここに、内器ブロックＢの各基台４，４の一端部が図３における右側の各支持台７５，７５に載置されるとともに、支持台７５，７５に螺入される取付ねじ１２を用いてボディ１０に固定される。ここに、各基台４，４の一端部には、取付ねじ１２の頭部の直径よりも大きい丸孔状の大径部の上縁の一部に取付ねじ１２の直径よりも幅狭の溝部が連続する鍵穴状に形成された取付孔９が形成されている。したがって、取付ねじ１２を支持台７５に緩く螺入した状態で、取付ねじ１２の頭部に取付孔９の大径部を通し、取付ねじ１２の頭部を溝部に対応する部位までスライドさせた後に取付ねじ１２を締め付けることによって基台４をボディ１０に対して固定するようになっている。また、上述のように支持台７５，７５の周囲にはガイド壁７４，７３が形成されているから、内器ブロックＢの取付部材の取付位置をガイド壁７４，７３に合わせることで位置決めが容易にでき、その上、下側のガイド壁７３には受け片７３ａが形成されているから、取付孔９の溝部に取付ねじ１２を挿入した状態では、取付孔９の大径部に抜け止めボス６２が挿入されるように抜け止めボス６２の位置が設定されている。
【００４７】
また、主幹開閉器用固定ベース８は、一端側の端面から突設された取付片４０’が図３における左側の各支持台７５，７５に載置されるとともに、支持台７５，７５に螺入される取付ねじ６１’を用いてボディ１０に固定される。ここに、各取付片４０’，４０’には、取付ねじ６１’の頭部の直径よりも大きい丸孔状の大径部の上縁の一部に取付ねじ６１’の直径よりも幅狭の溝部が連続する鍵穴状に形成された取付孔５０’，５０’が形成されている。したがって、取付ねじ６１’を支持台７５に緩く螺入した状態で、取付ねじ６１’の頭部に取付孔５０’の大径部を通し、取付ねじ６１’の頭部を溝部に対応する部位までスライドさせた後に取付ねじ６１’を締め付けることによって主幹開閉器用固定ベース８をボディ１０に対して固定するようになっている。また、上述のように支持台７５，７５の周囲にはガイド壁７４，７３が形成されているから、内器ブロックＢの取付部材の取付位置をガイド壁７４，７３に合わせることで位置決めが容易にでき、その上、下側のガイド壁７３には受け片７３ａが形成されているから、取付孔５０’の溝部に取付ねじ６１’を挿入した状態では、取付孔５０’の大径部に抜け止めボス６２が挿入されるように抜け止めボス６２の位置が設定されている。
【００４８】
而して、本実施形態の接続変換装置では、電線導体たる一次送り線１０４，１０５を端子部１０７，１０９に接続でき且つ差込刃１０１〜１０３にプラグイン式の回路遮断器よりなる一次送り開閉器９０を接続することができるので、プラグイン式の回路遮断器よりなる分岐開閉器２とプラグイン式の回路遮断器よりなる一次送り開閉器９０とで同一の回路遮断器を用いることができて部品の共通化が図れる。また、各端子部１０７，１０９は互いに異なる階段面１１７，１１７’に配置されているので、端子ねじ１０６，１０６を締め付けたり緩めたりする作業が容易になる。また、各差込刃１０１〜１０３が、端子台１１０において上記取付面に直交する面から突出する形で配置されているので、端子台１１０を上記取付面に平行な面内で移動させることにより差込刃１０１〜１０３を一次送り開閉器９０に接続することができる。また、端子台１１０に上記抜け止め用リブ１２１が設けられていることによって端子台１１０から各接続端子が抜けるのを防止することができ、端子台１１０に予め各接続端子を配設した状態でブロック化することができ、取り扱いが容易になる。
【００４９】
また、本実施形態においては、端子台１１０に形成した収納溝１２２〜１２４の奥行方向の長さ（図２（ｂ）における左右方向の長さ）を接続端子の差込刃１０１〜１０３の幅寸法（図２（ｂ）における左右方向の長さ）よりも大きく設定してあるので、収納溝１２２〜１２４の開口面側（図２（ｂ）における左側面側）に誤ってドライバ等の導電金属を接触させてしまった場合に短絡を防止することができ、接続端子間の絶縁性が向上する。
【００５０】
【発明の効果】
請求項１の発明は、取付面からの距離がそれぞれ異なる上段の差込口及び中段の差込口の一方と下段の差込口とに受け刃が配置されたプラグイン式の電気機器と電線導体と間に介在し該電線導体と該電気機器とを電気的に接続する接続変換装置であって、取付面からの距離がそれぞれ異なる上下二段の階段面を有する階段部が形成された端子台と、この端子台の上段の階段面に配置されるねじ付の端子部及びこの端子部に電気的に接続され前記電気機器の上段の差込口及び中段の差込口に差込まれる高さ位置として連続一体に形成し端子台から突出する形で配置される一対の差込刃を有した一方の接続端子と、端子台の下段の階段面に配置されるねじ付の端子部及びこの端子部に電気的に接続され前記電気機器の下段の差込口に差込まれる高さ位置として端子台から突出する形で配置される差込刃を有した他方の接続端子とを備えてなることを特徴とするものであり、電線導体を端子部に接続でき且つ差込刃にプラグイン式の電気機器を接続することができるので、分電盤内に配設する場合に、主幹開閉器の一次側からの電線導体を端子部に接続することで前記電気機器としてプラグイン式の回路遮断器を利用可能となり、一次送り開閉器としてプラグイン式の回路遮断器を用いることができ、分岐開閉器と一次送り開閉器とで同一の回路遮断器を用いることができて部品の共通化が図れるという効果がある。また、各端子部は互いに異なる階段面に配置されているので、ねじを締め付けたり緩めたりする作業が容易になるという効果がある。
【００５２】
請求項２の発明は、請求項１の発明において、前記端子台には各階段面に平行であって、前記各接続端子の端子部と差込刃との間の中間部が収納される収納溝が形成され、収納溝の開口の一部を覆い接続端子の抜け止めをする抜け止め用リブが形成されているので、抜け止め用リブを設けたことによって端子台から接続端子が抜けるのを防止することができ、端子台に予め接続端子を配設した状態でブロック化することができ、取り扱いが容易になるという効果がある。
【００５３】
請求項３の発明は、請求項１又は請求項２の発明において、前記各端子部はそれぞれ各階段面に当接する形で配置され、各階段面にはそれぞれ各端子部のねじの先端部が挿通される挿通孔が形成されているので、各端子部のねじを締め付けるときに端子台にかかる力を吸収することができ、端子台が破損し難くなるという効果がある。
【００５４】
請求項４の発明は、請求項３の発明において、前記各階段面に、配置される前記端子部の少なくとも一端面が当接する立壁が設けられているので、前記端子部のねじを締め付けるときに端子部がぐらつくのを防ぐことが可能となり、端子部のねじを締め付けるときに接続端子がぐらつかず、請求項３の発明よりも端子台が破損し難くなるという効果がある。
【００５５】
請求項５の発明は、請求項２ないし請求項４の発明において、前記収納溝の奥行方向の長さは接続端子の差込刃の幅寸法よりも大きく設定されているので、前記収納溝の開口面側に誤ってドライバ等の導電金属を接触させてしまった場合に短絡を防止することができ、接続端子間の絶縁性が向上するという効果がある。
【００５６】
請求項６の発明は、請求項１ないし請求項５の発明において、前記端子台は、取付面に当接し取付ねじが挿通される挿通孔が形成された取付片を備えるので、端子台を取付ねじを用いて取付面に固定することができ、差込刃をプラグイン式の電気機器に接続するときに、電気機器だけを手で持って動かすことで接続することができ、差込刃を電気機器に接続する作業が容易になるという効果がある。
【図面の簡単な説明】
【図１】実施形態を示す分解斜視図である。
【図２】同上を示し、（ａ）は正面図、（ｂ）は下面図である。
【図３】同上を用いた住宅用分電盤の分解斜視図である。
【図４】同上を用いた住宅用分電盤の外扉を開いた状態の一部破断正面図である。
【図５】同上を用いた住宅用分電盤のカバーを取り外した状態の正面図である。
【図６】同上を用いた住宅用分電盤の要部拡大断面図である。
【図７】同上を用いた住宅用分電盤の要部分解斜視図である。
【図８】同上を用いた住宅用分電盤の要部分解斜視図である。
【図９】同上を用いた住宅用分電盤の要部分解斜視図である。
【図１０】同上を用いた住宅用分電盤の要部分解斜視図である。
【図１１】同上を用いた住宅用分電盤の要部正面図である。
【符号の説明】
１１０  端子台
１０１〜１０３  差込刃
１０６  端子ねじ
１０７  端子部
１０８  ねじ孔
１０９  端子部
１１７  階段面
１１７’  階段面
【図１】
0003622604.tif 000002
【図２】
0003622604.tif 000003
【図３】
0003622604.tif 000004
【図４】
0003622604.tif 000005
【図５】
0003622604.tif 000006
【図６】
0003622604.tif 000007
【図７】
0003622604.tif 000008
【図８】
0003622604.tif 000009
【図９】
0003622604.tif 000010
【図１０】
0003622604.tif 000011
【図１１】
0003622604.tif 000012